(57)【要約】【課題】本発明は、ステータ体の係止用穴内に係止爪を挿入し、棒状体を係止爪内に挿入して引張り荷重に耐えるようにすることを目的とする。【解決手段】本発明による回転検出器用ステータ構造は、輪状絶縁カバー（４）に一体又は別体で形成されたアンダーカバー（５０）の係止爪（９）をステータ体（１）の係止用穴（１０）内に挿入し、この係止爪（９）内に棒状体（２０）を挿入することにより係止爪（９）が係止用穴（１０）から離脱することのないようにした構成である。【選択図】　　　　図３
2004037160.tif 000002
【特許請求の範囲】
【請求項１】
全体形状が輪状をなし内方へ向けて突出する複数の磁極（２）を有するステータ体（１）と、前記各磁極（２）に第１、第２輪状絶縁カバー（３，４）を介して設けられたステータ巻線（５）と、前記第２輪状絶縁カバー（４）の一部に形成され端子ピン（６）を有する端子ピン保持部（７）と、前記端子ピン保持部（７）とステータ体（１）との間に設けられ係止爪（９）を有すると共に前記端子ピン保持部（７）と一体又は別体で構成されたアンダーカバー（５０）とを備え、前記係止爪（９）を前記ステータ体（１）に形成された係止用穴（１０）に挿入して係止するようにした回転検出器用ステータ構造において、前記各係止爪（９，９）間に棒状体（２０）を挿入したことを特徴とする回転検出器用ステータ構造。
【請求項２】
前記棒状体（２０）は、前記係止用穴（１０）を貫通して設けられていることを特徴とする請求項１記載の回転検出器用ステータ構造。
【請求項３】
前記棒状体（２０）は、前記第２輪状巻線カバー（１３）に一体形成されていることを特徴とする請求項１又は２記載の回転検出器用ステータ構造。
【発明の詳細な説明】
【０００１】
【発明の属する技術分野】
本発明は、回転検出器用ステータ構造に関し、特に、ステータ体の係止用穴内に挿入された各係止爪間に棒状体を挿入し、係止爪のばね性を有している方向へ荷重が加わった場合においても各係止爪が係止用穴から離脱することのないようにするための新規な改良に関する。
【０００２】
【従来の技術】
従来、用いられていたこの種の回転検出器用ステータ構造としては、例えば、図５から図８で示される構成が採用されていた。
すなわち、図５において符号１で示されるものはロータ１Ａを内設できるように全体形状が輪状をなすと共に内方に向けて複数の磁極２が突出して形成されたステータ体であり、このステータ体１の両面には各磁極２に沿って突出した形状を有する一対の第１、第２輪状絶縁カバー３、４が設けられ、この各輪状絶縁カバー３、４を介して各磁極２にステータ巻線５が巻回されている。
【０００３】
前記各輪状絶縁カバー３、４の中の一方の第２輪状絶縁カバー４の一部は、半径方向に沿って外側に突出して形成されると共に複数の端子ピン６を有する端子ピン保持部７が一体に形成されている。
前記端子ピン保持部７には貫通孔８が形成されていると共に、ステータ１にはこの貫通孔８と連通する係止用穴１０が形成されている。前記端子ピン保持部７とステータ体１との間には係止爪９を有するアンダーカバー５０が設けられている。尚、前記アンダーカバー５０は、端子ピン保持部７と別体又は一体に形成されている。
前記係止爪９は、爪９ａを有すると共に、スナップアクションを伴う動作を有し、各係止爪９が係止用穴１０を貫通して外側へ拡開する動作（スナップ動作）によりこのステータ体１に係止・固定されている。
【０００４】
前記端子ピン保持部７の各端子ピン６には、前記ステータ巻線５が巻回して接続されていると共に、この各端子ピン６に接続されたリード線１１が外部に導出されている。
【０００５】
前記各磁極２に巻回されたステータ巻線５の外側には、樹脂からなる第１、第２輪状巻線カバー１２、１３がステータ体１の両面に設けられている。
【０００６】
【発明が解決しようとする課題】
従来の回転検出器用ステータ構造は、以上のように構成されていたため、次のような課題が存在していた。
すなわち、前述の構成において、レゾルバ等の回転検出器をロボット又は車等に取付けて使用する際に、図７で示されるように、係止爪のばね性を有している矢印Ａの方向に引張り力（荷重）が加わった場合、矢印Ｂの方向にたわみが発生し、爪がステータ体から離脱し、ステータ体の係止用穴から離脱することがあった。
【０００７】
本発明は、以上のような課題を解決するためになされたもので、特に、ステータ体の係止用穴内に挿入された各係止爪間に棒状体を挿入し、係止爪のばね性を有している方向へ荷重が加わった場合においても各係止爪が係止用穴から離脱することのないようにした回転検出器用ステータ構造を提供することを目的とする。
【０００８】
【課題を解決するための手段】
本発明による回転検出器用ステータ構造は、全体形状が輪状をなし内方へ向けて突出する複数の磁極を有するステータ体と、前記各磁極に第１、第２輪状絶縁カバーを介して設けられたステータ巻線と、前記第２絶縁カバーの一部に形成され端子ピンを有する端子ピン保持部と、前記端子ピン保持部とステータ体との間に設けられ係止爪を有すると共に前記端子ピン保持部と一体又は別体で構成されたアンダーカバーとを備え、前記係止爪を前記ステータ体に形成された係止用穴に挿入して係止するようにした回転検出器用ステータ構造において、前記各係止爪間に棒状体を挿入した構成であり、また、前記棒状体は、前記係止用穴を貫通して設けられている構成であり、また、前記棒状体は、前記第２輪状巻線カバーに一体形成されている構成である。
【０００９】
【発明の実施の形態】
以下、図面と共に本発明による回転検出器用ステータ構造の好適な実施の形態について説明する。尚、従来例と同一又は同等部分には同一符号を用いて説明する。
図１において符号１で示されるものはロータ１Ａが内設できるように全体形状が輪状をなすと共に内方に向けて複数の磁極２が突出して形成されたステータ体であり、このステータ体１の両面には各磁極２に沿って突出した形状を有する一対の第１、第２輪状絶縁カバー３、４が設けられ、この各輪状絶縁カバー３、４を介して各磁極２にステータ巻線５が巻回されている。
【００１０】
前記各輪状絶縁カバー３、４の中の一方の第２輪状絶縁カバー４の一部は、半径方向に沿って外側に突出して形成されると共に複数の端子ピン６を有する端子ピン保持部７が一体に形成されている。
前記端子ピン保持部７には貫通孔８が形成されていると共に、ステータ１にはこの貫通孔８と連通する係止用穴１０が形成されている。前記端子ピン保持部７とステータ体１との間には係止爪９を有するアンダーカバー５０が設けられている。尚、前記アンダーカバー５０は、端子ピン保持部７すなわち第２輪状絶縁カバー４と別体又は一体に形成されている。
前記係止爪９は、爪９ａを有すると共に、スナップアクションを伴う動作を有し、各係止爪９が係止用穴１０を貫通して外側へ拡開する動作（スナップ動作）により、このステータ体１に係止・固定されている。
【００１１】
前記端子ピン保持部７の各端子ピン６には、前記ステータ巻線５が巻回して接続されていると共に、この各端子ピン６に接続されたリード線１１が外部に導出されている。
前記各磁極２に巻回されたステータ巻線５の外側には、樹脂からなる第１、第２輪状巻線カバー１２、１３がステータ体１の両面に設けられている。
【００１２】
前記第２輪状巻線カバー１３の前記端子ピン６に対応する位置には、前記端子ピン６を覆うための膨大部１３ａが形成され、この膨大部１３ａから内方に向けかつ軸方向に沿って突出して形成された棒状体２０は、端子ピン保持部７の貫通孔８及び係止用穴１０を貫通する状態で各係止爪９、９の間に圧入するように挿入されている。
【００１３】
前記棒状体２０が各係止爪９、９間に挿入されることにより、各係止爪９、９は拡開する方向に押し拡げられ、各爪９ａ、９ａはステータ体１に対して強固に係合し、従来のように、図７に示される引張り力Ａが作用した場合においても各係止爪９、９はたわんで係止用穴１０から離脱することはない。
尚、この棒状体２０は、第２輪状巻線カバー１３と一体の構成に限ることなく、この第２輪状巻線カバー１３とは別体として独立した構成とすることもできる。
【００１４】
【発明の効果】
本発明による回転検出器用ステータ構造は、以上のように構成されているため、次のような効果を得ることができる。
すなわち、輪状絶縁カバーに設けられた一対の係止爪をステータ体の係止用穴内に係合させ、その間に棒状体２０が挿入されているため、引張り力が付加された場合でも各係止爪が係止用穴から離脱することがなく、常に安定してステータ体と一体状に装着できる。
【図面の簡単な説明】
【図１】本発明による回転検出器用ステータ構造を示す断面図である。
【図２】図１の左側面図である。
【図３】図１の要部の拡大図である。
【図４】図１の右側面図である。
【図５】従来構成を示す断面図である。
【図６】図５の左側面図である。
【図７】図５の要部の拡大図である。
【図８】図５の右側面図である。
【符号の説明】
１　　ステータ体
２　　磁極
３、４　　第１、第２輪状絶縁カバー
５　　ステータ巻線
６　　端子ピン
７　　端子ピン保持部
８　　貫通孔
９　　係止爪
１０　　係止用穴
１１　　リード線
１２、１３　　第１、第２輪状巻線カバー
２０　　棒状体
【図１】
2004037160.tif 000003
【図２】
2004037160.tif 000004
【図３】
2004037160.tif 000005
【図４】
2004037160.tif 000006
【図５】
2004037160.tif 000007
【図６】
2004037160.tif 000008
【図７】
2004037160.tif 000009
【図８】
2004037160.tif 000010